(57)【要約】【課題】  本発明は、竪平葺屋根において施工する雪止め具の取付け作業を、安全かつ迅速に行うために、作業性の良い雪止め具を提供することを目的とする。【解決手段】  本発明は、羽根板１の上辺部及び左右両側辺部を内側方向に曲折した鍔縁部を形成するとともに下辺部２には外側方に曲折した鍔縁部を形成し、この羽根板の一側面部に基端部６を固着７した一方の挾着板５を設け、この挾着板に相対して前記羽根板の他側面部に基端部１５に設けた斜孔１６に挿通して止着した他方の挾着板１４を設け、この両挾着板の前側部及び後側部間にはそれぞれ螺子１２，１２を架設し、この螺子の基端部は一方の挾着板部に固着し、この螺子の他端部には雌螺子１３を他方の挾着板の外側に装着し、位置移動自在の他方の挾着板と一方の挾着板との中間部に竪平葺部分を嵌挿し固定するように成るものである。【選択図】    図３
2005264668.tif 000002
【特許請求の範囲】
【請求項１】
羽根板の上辺部及び左右両側辺部を内側方向に曲折した鍔縁部を形成するとともに下辺部には外側方に曲折した鍔縁部を形成し、この羽根板の一側面部に基端部を固着した一方の挾着板を設け、この挾着板に相対して前記羽根板の他側面部に基端部に設けた斜孔に挿通し止着した他方の挾着板を設け、この両挾着板の前側部及び後側部間にはそれぞれ螺子を架設し、この螺子の基端部は一方の挾着板部に固着し、この螺子の他端部には雌螺子を他方の挾着板の外側に装着し、位置移動自在の他方の挾着板と一方の挾着板との中間部に竪平葺部分を嵌挿し固定するように成ることを特徴とする竪平葺屋根における雪止め具。
【請求項２】
左右両挾着板は中間に凹溝部を形成して前側部と後側部に分け、この両挾着板の前側部上辺部に外開き状の摘み部を設けて成る請求項１に記載した竪平葺屋根における雪止め具。
【発明の詳細な説明】
【技術分野】
【０００１】
本発明は、竪平葺屋根における雪止め具に関するものである。
【背景技術】
【０００２】
従来、竪平葺屋根において施工する雪止め具の取付け作業は、急勾配の高所において両手を使用して行う困難な手作業であるため、作業者の現場における作業がし易くかつ迅速に行うことができる作業性のよい金具の出現が望まれていた。
【０００３】
【特許文献１】特開２０００―１９９３１１号公報
【特許文献２】特許第３０６２４５８号公報
【特許文献３】特許第３３４５２７８号公報
【発明の開示】
【発明が解決しようとする課題】
【０００４】
本発明は、このような要求にかなう竪平葺屋根専用の雪止め具を提供することを目的とするものである。
【課題を解決するための手段】
【０００５】
本発明は、羽根板の上辺部及び左右両側辺部を内側方向に曲折した鍔縁部を形成するとともに下辺部には外側方に曲折した鍔縁部を形成し、この羽根板の一側面部に基端部を固着した一方の挾着板を設け、この挾着板に相対して前記羽根板の他側面部に基端部に設けた斜孔に挿通して止着した他方の挾着板を設け、この両挾着板の前側部及び後側部間にはそれぞれ螺子を架設し、この螺子の基端部は一方の挾着板部に固着し、この螺子の他端部には雌螺子を他方の挾着板の外側に装着し、位置移動自在の他方の挾着板と一方の挾着板との中間部に竪平葺部分を嵌挿し固定するように成るものである。
【発明の効果】
【０００６】
竪平葺屋根において作業者は、本雪止め具の取付け固定の作業をすべて片手指先で行うことができることになるから、安全かつ迅速に作業を完了するとができ、作業効率の良い経済性のある施工となる。
【０００７】
取付け固定した本雪止め具の羽根板は、その全周縁部における前後の曲折構成によって強度を補強しているから、積雪時の滑落力に対して十分耐久性のある金具となる。
【発明を実施するための最良の形態】
【０００８】
いま竪平葺屋根において本雪止め具を取付け施工するときは、予め開口状態にある左右の挾着板間に竪平葺部分を挾合した後、片手指先で両挾着板の前側部の上辺部を抑えて、親指で他方の挾着板を一方の挾着板方向に移動する。
【０００９】
すると、他方の挾着板は、その基端部の斜孔の下端に位置していた螺子が上端位置に移動し、その前側部及び後側部は円孔上の螺子の位置を内側方に移動し、またその下辺部の凸起部が竪平葺部分に当接することになるから、その位置において前記螺子上のナットを緊締すれば、両挾着板によって竪平葺部分を挟み込むようになる。
【００１０】
また、ナットによる緊締時には予め両挾着板間の螺子上に任意形状の薄板材を介装して両挾着板間隔を調整しておくことによって、竪平屋根部分にかかる積雪荷重による屋根板の切損，破断や屋根板塗装の剥離を防止することができるようになる。
【実施例】
【００１１】
１は適当巾と高さの形状に成る羽根板で、この羽根板の周縁部においては、下辺部２は外側方向に曲折し、上側辺部３は内側方向に曲折した鍔縁部を形成し、これにより羽根板の強度を補強するとともに安定性をよくする。
【００１２】
４は前記羽根板１の内側中央部に形成した凸面部で、この凸面部は補強部となる。
【００１３】
５は前記羽根板１の凸面部４の一側面部に直角に曲折した基端部６を固着７した一方の挾着板で、この挾着板は中間部に凹溝部８を形成して前側部９と後側部１０とに分かれる。
【００１４】
１１，１１は前記一方の挾着板５の前側部９及び後側部１０にそれぞれ設けた角孔で、この角孔には螺子１２，１２の基端部に設ける角形部がそれぞれ嵌合して螺子の動きを停止するが、この螺子が回動しないようにするためには当該螺子の基端部を挾着板５の側面部に溶着又はかしめ止めする。
【００１５】
１４は前記羽根板１の凸面部の他側面部に直角に曲折した基端部１５に設けた斜孔１６及び螺子１７を介して調整固定する他方の挾着板で、この挾着板は中間部に凹溝部１８を形成して前側部１９と後側部２０とに分かれる。
【００１６】
２１，２１は前記他方の挾着板１４の前側部１９及び後側部２０にそれぞれ設けた円孔で、この円孔には前記螺子１２，１２のボルト部が嵌挿して、挾着板１４の外側で雌螺子１３，１３にて緊締する。
【００１７】
２２，２３は前記左右の両挾着板５，１４の各前側部８，１６の上辺部に外開き状に形成した摘み部で、この両摘み部を片手指先をかけてワンタッチで開閉し得るようになる。
【００１８】
２４，２４は前記左右挾着板５，１４の後側部１０，２０の上側部に設けた長孔で、この長孔は必要に応じて使用するサービス用のものである。
【００１９】
２５・・は左右に相対する前記両挾着板５，１４の前側部９，１９及び後側部１０，２０の下辺部にそれぞれ間隔をおいて内曲げして設けた凸起部で、この凸起部の間には凹部２６・・を形成して凹凸形状を交互に設けている。
【００２０】
なお、前記左右両挾着板５，１４間をワンタッチで開閉口する手段としては、前記した各前側上辺部に外開きの摘み部を設けて指先がかけ易くかつ作動し易くする構成のほか、螺子１２，１２上に弾機を介装するなど任意の構成がある。
【図面の簡単な説明】
【００２１】
【図１】全体の正面図
【図２】全体の背面図
【図３】全体の平面図
【図４】全体の一部断面の右側面図
【図５】要部の左側面図
【図６】全体の背斜視図
【符号の説明】
【００２２】
１                羽根板
２                下辺部
３                上側辺部
５                一方の挾着板
６                基端部
８                凹溝部
９                前側部
１０              後側部
１２，１２        螺子
１４              他方の挾着板
１５              基端部
１６              斜孔
１７              螺子
１８              凹溝部
２２，２３        摘み部
２４，２４        長孔
【図１】
2005264668.tif 000003
【図２】
2005264668.tif 000004
【図３】
2005264668.tif 000005
【図４】
2005264668.tif 000006
【図５】
2005264668.tif 000007
【図６】
2005264668.tif 000008